(57)【要約】      （修正有）【課題】防刃用に設けた遮蔽構造部分越しに、相手に接触すること無く、安心して安全に噴射する事の出来る催涙スプレーを提供する。【解決手段】犯人に対面する先端部に、先端から手元方向に向け、本体軸芯に対して平行に約２０ｃｍ程度の長さに十文字に切り込みを入れ、放射状に先端を広げた状態に加工変形させた射出装置本体１の手元部分に本体保持パイプ固定用Ｌ字型ジョイント６にて本体保持パイプ５を固定させ、婦女子等の、腕力の少ない関係職員等でも容易に保持出来る構造物を作成し、使用者の利き手を考慮し催涙スプレー固定用金具４又は催涙スプレー固定用緩衝材７を利用し引き金噴射式、催涙スプレー３を装着した。【選択図】図５
0003152482.tif 000002
【実用新案登録請求の範囲】
【請求項１】
『（１）射出装置本体』『（２）自立用脚部兼、犯人威嚇用加工部分』『（３）引き金噴射式、催涙スプレ−』『（４）催涙スプレ−固定用金具』『（５）本体保持パイプ』『（６）本体保持パイプ固定用Ｌ字型ジョイント』『（７）催涙スプレ−固定用緩衝材』から構成される、『自立式、催涙スプレ−噴射装置』。
【考案の詳細な説明】
【技術分野】
【０００１】  この考案は、『（１）射出装置本体』『（２）自立用脚部兼、犯人威嚇用加工部分』『（３）引き金噴射式、催涙スプレ−』『（４）催涙スプレ−固定用金具』『（５）本体保持パイプ』『（６）本体保持パイプ固定用Ｌ字型ジョイント』『（７）催涙スプレ−固定用緩衝材』から構成される、『自立式、催涙スプレ−噴射装置』に関するものである。
【背景技術】
【０００２】  現在、不法侵入者等に対しての自衛・防犯用具としては、『カラ−ボ−ル』『さすまた』『犯人補足用の飛翔型ネット』等が、主に現場配備されているが、『カラ−ボ−ル』は犯罪発生後の犯人特定等の面における検挙活動には貢献するも、直接の犯人の行動抑止効果は少ないと思われ、『さすまた』はコンビニ等の狭い現場における保管並びに使用、又、婦女子等の腕力の少ない関係職員等の使用に関し操作面における問題点があり、『飛翔型ネット』も犯人の行動抑止の面において、その効果に問題があると思慮される。【０００３】  その他、自衛用の防犯商品としては、インタ−ネット等で、痴漢撃退等を目的として市販されている『催涙スプレ−』並びに『スタンガン（±の電極を被接触者に対して接触させ、高電圧による電気ショックにて、相手の行動を一時的に抑止する装置）』等の使用も考えられるが、刃物等を所持している犯人に対した際に、素手で保持している催涙スプレ−を犯人に対し使用する、若しくは、『スタンガンの、各電極を相手に接触させる事』には、恐怖心が先立ち、正確な使用には相当の勇気が必要と思われる。
【考案の開示】
【考案が解決しようとする課題】
【０００４】  刃物等を振り回している不法侵入者等に対して、婦女子等の腕力の少ない関係職員でも容易に取り回しが可能な小型・軽量で、犯人から少なくとも５０ｃｍから１ｍ程度の距離を確保し、なおかつ、防刃用に設けた遮蔽構造部分越しに、相手に接触すること無く、安心して安全に『催涙スプレ−』を噴射する事の出来る装置の開発が必要と思われた。
【課題を解決するための手段】
【０００５】  犯人に対面する先端部に、先端から手元方向に向け、本体軸芯に対して平行に約２０ｃｍ程度の長さに十文字に切り込みを入れ、放射状に先端を広げた『（２）自立用脚部兼、犯人威嚇用加工部分』状態に加工変形させた『（１）射出装置本体』の手元部分に『（６）本体保持パイプ固定用Ｌ字型ジョイント』にて『（５）本体保持パイプ』を固定させ、婦女子等の、腕力の少ない関係職員等でも容易に保持出来る構造物を作成する。【０００６】  上記構造物に、使用者の利き手を考慮し『（４）催涙スプレ−固定用金具』『（７）催涙スプレ−固定用緩衝材』を利用し『（３）引き金噴射式、催涙スプレ−』を装着した、『自立式、催涙スプレ−噴射装置』が本考案である。【０００７】  上記構造により、操作者が右利きの場合、逆手（左手）にて（５）本体保持パイプ』を保持し、利き腕（右手）にて『（３）引き金噴射式、催涙スプレ−』を保持しながら噴射する事が可能になり、不法侵入者等に対して少なくとも５０ｃｍから１ｍ程度の距離を保ちながら、かつ、相手の刃物等を防ぐ為の、放射状に加工されている『（２）自立用脚部兼、犯人威嚇用加工部分』越しに、催涙スプレ−を相手に噴射する事の出来る装置が本考案である。【０００８】  又、先端部を上記『（２）自立用脚部兼、犯人威嚇用加工部分』の状態に加工変形させる事により、この部分を床面に対し垂直方向に置く事により、コンビニ等のカウンタ−の裏面等の狭い場所でも本体を自立、保管させる事が可能になり、刃物等を振り回している犯人に対しても、この十字型加工部分で、対抗措置』が可能になる。【０００９】  又、左利きの使用者用に『（３）引き金噴射式、催涙スプレ−』は、本体の左右両側面に、選択取り付けが出来るようにする。
【考案の効果】
【００１０】  本考案により、狭い場所においても、腕力の劣る婦女子でも容易に、犯人から一定の距離を確保しながら、安心して催涙スプレ−を噴射することが出来る。
【考案を実施するための最良の形態】
【００１１】  『（１）射出装置本体』『（４）催涙スプレ−固定用金具』『（５）本体保持パイプ』等は軽量化並びに対刃性を最優先とし、アルミ等の軽金属の材質が望ましく、『（３）催涙スプレ−』は保持しながら操作する為には、『押しボタン噴射式』ではなく、『引き金噴射式』の物が望ましい。【００１２】  又、『（２）自立用脚部兼、犯人威嚇用加工部分』は、先端部から２０ｃｍ程度の長さで約３０度の角度で放射状に広げた加工状態が、自立させる上で最も適しており、放射状に折り曲げられている付け根分から『（３）催涙スプレ−』までは、５０ｃｍ程度、『（３）催涙スプレ−』から『（５）本体保持パイプ』までは３０ｃｍ程度の距離を持たせるのが重量バランス上、最良と思われる。
【防犯上の利用可能性】
【００１３】  『さすまた』に比べ、保管方法が容易で、保管面積も取られず、取り回し性能が格段に良好で、催涙スプレ−との相乗効果により、婦女子等でも容易に操作出来る為、コンビニをはじめとし、広範囲の現場で威力を発揮すると思われる。
【図面の簡単な説明】
【００１４】
【図１】本体、右側面図。
【図２】本体、左側面図
【図３】本体、平面図
【図４】本体、正面図
【図５】本体設置状況図
【図６】先端部加工図
【符号の説明】
【００１５】    １．射出装置本体
２．自立用脚部兼、犯人威嚇用加工部分
３．引き金噴射式、催涙スプレ−
４．催涙スプレ−固定様金具
５．本体保持パイプ
６．本体保持パイプ固定用Ｌ字型ジョイント
７．催涙スプレ−固定用緩衝材
【図１】
0003152482.tif 000003
【図２】
0003152482.tif 000004
【図３】
0003152482.tif 000005
【図４】
0003152482.tif 000006
【図５】
0003152482.tif 000007
【図６】
0003152482.tif 000008
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
『（１）先端に切り込みを入れ、外側４方向に、放射状に広げる加工を施したアルミパイプ』『（２）引き金噴射式の催涙スプレ−』『（３）催涙スプレ−固定用Ｕ字型金具』『（４）取っ手用樹脂パイプ』『（５）樹脂パイプとアルミパイプを連結する、Ｌ字型パイプ用ジョイント』から構成される、『催涙スプレ−付き軽量さすまた』。
【手続補正２】
【補正対象書類名】明細書
【補正対象項目名】全文
【補正方法】変更
【補正の内容】
【考案の詳細な説明】
【技術分野】
【０００１】  この考案は、『（１）先端に切り込みを入れ、外側４方向に、放射状に広げる加工を施したアルミパイプ』『（２）引き金噴射式の催涙スプレ−』『（３）催涙スプレ−固定用Ｕ字型金具』『（４）取っ手用樹脂パイプ』『（５）樹脂パイプとアルミパイプを連結する、Ｌ字型パイプ用ジョイント』から構成される、『催涙スプレ−付き軽量さすまた』に関するものである。
【背景技術】
【０００２】  現在、不法侵入者等に対しての自衛・防犯用具としては、『カラ−ボ−ル』『さすまた』『犯人補足用の飛翔型ネット』等が、主に現場配備されているが、『カラ−ボ−ル』は犯罪発生後の犯人特定等の面における検挙活動には貢献するも、直接の犯人の行動抑止効果は少ないと思われ、『さすまた』はコンビニ等の狭い現場における保管並びに使用、又、婦女子等の腕力の少ない関係職員等の使用に関し操作面における問題点があり、『飛翔型ネット』も犯人の行動抑止の面において、その効果に問題があると思慮される。【０００３】  その他、自衛用の防犯商品としては、インタ−ネット等で、痴漢撃退等を目的として市販されている『催涙スプレ−』並びに『スタンガン（±の電極を被接触者に対して接触させ、高電圧による電気ショックにて、相手の行動を一時的に抑止する装置）』等の使用も考えられるが、刃物等を所持している犯人に対した際に、素手で保持している催涙スプレ−を犯人に対し使用する、若しくは、『スタンガンの、各電極を相手に接触させる事』には、恐怖心が先立ち、正確な使用には相当の勇気が必要と思われる。
【考案の開示】
【考案が解決しようとする課題】
【０００４】  刃物等を振り回している不法侵入者等に対して、婦女子等の腕力の少ない関係職員でも容易に取り回しが可能な小型・軽量で、犯人から少なくとも５０ｃｍから１ｍ程度の距離を確保し、なおかつ、防刃用に設けた放射状に加工した、遮蔽構造部分越しに、相手に接触すること無く、安心して安全に『催涙スプレ−』を噴射する事の出来る装置の開発が必要と思われた。
【課題を解決するための手段】
【０００５】  犯人に対面する先端部に、先端から手元方向に向け、本体軸芯に対して平行に約２０ｃｍ程度の長さに十文字に切り込みを入れ、外側４方向に、放射状に先端を広げた『（１）アルミパイプ』の手元部分に『（５）樹脂パイプとアルミパイプを連結する、Ｌ字型パイプ用ジョイント』にて『（４）取っ手用樹脂パイプ』を固定させ、婦女子等の、腕力の少ない関係職員等でも容易に保持出来る構造物を作成する。【０００６】  上記構造物に、使用者の利き手を考慮し『（３）催涙スプレ−固定用Ｕ字型金具』を利用し『（２）引き金噴射式の催涙スプレ−』を装着した、『催涙スプレ−付き軽量さすまた』が本考案である。【０００７】  上記構造により、操作者が右利きの場合、逆手（左手）にて（４）取っ手用樹脂パイプ』を握り、利き腕（右手）にて『（２）引き金噴射式の催涙スプレ−』を保持しながら噴射する事が可能になり、不法侵入者等に対して少なくとも５０ｃｍから１ｍ程度の距離を保ちながら、かつ、相手の刃物等を防ぐ為の、外側４方向に放射状に加工されている先端部越しに、催涙スプレ−を相手に噴射する事の出来る装置が本考案である。【０００８】  又、外側４方向に放射状に加工されている先端部を下にして、床面に対し垂直方向に置く事により、コンビニ等のカウンタ−の裏面等の狭い場所でも本体を自立、保管させる事が可能になり、刃物等を振り回している犯人に対しても、放射状加工部分で、対抗措置』が可能になる。【０００９】  又、左利きの使用者用に『（３）引き金噴射式の催涙スプレ−』は、本体の左右両側面に、選択取り付けが出来るようにする。
【考案の効果】
【００１０】  本考案により、狭い場所においても、腕力の劣る婦女子でも容易に、犯人から一定の距離を確保しながら、安心して催涙スプレ−を噴射することが出来る。
【考案を実施するための最良の形態】
【００１１】  『（１）射出装置本体』『（４）催涙スプレ−固定用金具』『（５）本体保持パイプ』等は軽量化並びに対刃性を最優先とし、アルミ等の軽金属の材質が望ましく、『（３）催涙スプレ−』は保持しながら操作する為には、『押しボタン噴射式』ではなく、『引き金噴射式』の物が望ましい。【００１２】  又、先端部の加工部分は、長さ２０ｃｍ程度で、約３０度の角度で放射状に広げた加工状態が、自立させる上で最も適しており、放射状に折り曲げられている付け根分から『（３）催涙スプレ−』までは、５０ｃｍ程度、『（３）催涙スプレ−』から『（５）本体保持パイプ』までは３０ｃｍ程度の距離を持たせるのが重量バランス上、最良と思われる。
【防犯上の利用可能性】
【００１３】  『さすまた』に比べ、保管方法が容易で、保管面積も取られず、取り回し性能が格段に良好で、催涙スプレ−との相乗効果により、婦女子等でも容易に操作出来る為、コンビニをはじめとし、広範囲の現場で威力を発揮すると思われる。
【図面の簡単な説明】
【００１４】
【図１】本体、右側面図
【図２】本体、左側面図
【図３】本体、平面図
【図４】本体、正面図
【図５】本体設置状況図
【図６】先端部加工状況図
【符号の説明】
【００１５】１．先端に切り込みを入れ、外側４方向に、放射状に広げる加工を施したアルミパイプ
２．引き金噴射式の催涙スプレ−
３．催涙スプレ−固定用Ｕ字型金具
４．取っ手用樹脂パイプ
５．樹脂パイプとアルミパイプを連結するＬ字型パイプ用ジョイント
【手続補正３】
【補正対象書類名】図面
【補正対象項目名】全図
【補正方法】変更
【補正の内容】
【図１】
0003152482.tif 000009
【図２】
0003152482.tif 000010
【図３】
0003152482.tif 000011
【図４】
0003152482.tif 000012
【図５】
0003152482.tif 000013
【図６】
0003152482.tif 000014
【手続補正書】
【提出日】平成21年2月26日(2009.2.26)
【手続補正１】
【補正対象書類名】実用新案登録請求の範囲
【補正対象項目名】全文
【補正方法】変更
【補正の内容】
【実用新案登録請求の範囲】
【請求項１】
先端に切り込みを入れ、外側４方向に放射状に広げる加工を施したアルミパイプ（１）に、催涙スプレ−固定用Ｕ字型金具（３）を取り付け、前記Ｕ字型金具に、引き金噴射式の催涙スプレ−（２）を固定し、前記アルミパイプと、取っ手用樹脂パイプ（４）とを、Ｌ字型パイプ用ジョイント（５）で連結したことを特徴とする、『催涙スプレ−付き軽量さすまた』。
【手続補正３】
【補正対象書類名】明細書
【補正対象項目名】０００１
【補正方法】変更
【補正の内容】
【０００１】  この考案は、先端に切り込みを入れ、外側４方向に放射状に広げる加工を施したアルミパイプ（１）に、催涙スプレ−固定用Ｕ字型金具（３）を取り付け、前記Ｕ字型金具に、引き金噴射式の催涙スプレ−（２）を固定し、前記アルミパイプと、取っ手用樹脂パイプ（４）とを、Ｌ字型パイプ用ジョイント（５）で連結したことを特徴とする、『催涙スプレ−付き軽量さすまた』に関するものである。